(57)【要約】  本発明は、複数のアセット（１４、１６、１８、２０）を含むマイクログリッド（１０）においてレジリエンスを判断するための方法、配置およびコンピュータプログラム製品に関し、各アセットは、マイクログリッドにおける異なる種類の電気エネルギーサブシステムである。配置は、少なくとも１つの制御ユニット（３０、３２、３４、３６、３８）を備え、少なくとも１つの制御ユニットは、アセットを制御するために用いられる装置（３２、３４、３６、３８）およびこの制御の通信リソースに関する状態データを取得し、状態データに基づいて、マイクログリッドにおける破壊的事象に対応するための複数の機能の各々を支援するために各アセットの健全性および可用性を判断し、かつ、複数の機能を行う際に、マイクログリッドのレジリエンス（ＲＩ）を判断するように構成され、レジリエンスは、破壊的事象に対応するための機能のすべてに関して各アセット（１４、１６、１８、２０）の個別のアセットの健全性および可用性に基づいて判断される。
2021529503.tif 000002
【特許請求の範囲】
【請求項１】
複数のアセット（１４、１６、１８、２０）を含むマイクログリッド（１０）においてレジリエンスを判断する方法であって、各アセットは、前記マイクログリッドにおける異なる種類の電気エネルギーサブシステムであり、方法は、
前記アセットを制御するために用いられる装置（３２、３４、３６、３８）およびこの制御の通信リソースに関する状態データを取得すること（５４）を備え、前記アセットを制御するために用いられる前記装置に関する前記状態データは、ハードウェア状態データおよび／またはソフトウェア状態データを含み、さらに、
前記状態データに基づいて、前記マイクログリッドにおいて破壊的事象に対応するための複数の機能（Ｆ１、Ｆ２、Ｆ３）の各々を支援するために、各アセットの健全性および可用性を判断すること（５６）と、
前記複数の機能（Ｆ１、Ｆ２、Ｆ３）を行う際に、前記マイクログリッドのレジリエンス指数（ＲＩ）を判断すること（６０）とを備え、前記レジリエンス指数は、破壊的事象に対応するための前記機能（Ｆ１、Ｆ２、Ｆ３）のすべてに関する各アセット（１４、１６、１８、２０）の個別のアセット健全性および可用性に基づいて判断され、さらに、
前記レジリエンス指数を前記マイクログリッドの制御システムに提供することと、
前記制御システムにおいて、前記レジリエンス指数（ＲＩ）を少なくとも１つの閾値と比較すること（６２）と、
前記閾値のいずれかを超える場合、前記マイクログリッド（１０）の前記制御を変更すること（６６）とを備える、方法。
【請求項２】
前記状態データに基づいて判断することはさらに、前記マイクログリッドにおける破壊的事象に対応するための複数の機能の各々を支援するために、各アセットの能力を判断することを含む、請求項１に記載の方法。
【請求項３】
破壊的事象に対応する前記機能は、電力バランス機能、電圧制御機能、周波数制御機能およびブラックスタート機能のうち少なくとも１つを含む、請求項１または２に記載の方法。
【請求項４】
判断された前記レジリエンス指数は、破壊的事象に対応するための前記複数の機能（Ｆ１、Ｆ２、Ｆ３）の各々についてのレジリエンス値を含む、前記請求項のいずれか１項に記載の方法。
【請求項５】
破壊的事象に対応するための前記機能（Ｆ１、Ｆ２、Ｆ３）の各々に対する各アセット（１４、１６、１８、２０）の適合性を取得すること（５８）をさらに備え、前記レジリエンス（ＲＩ）は、前記適合性にも基づいて判断される、前記請求項のいずれか１項に記載の方法。
【請求項６】
前記マイクログリッド（１２）は、遮断器（２６）を介して外部グリッド（２８）に接続され、前記状態データを取得することは、前記遮断器の状態データを取得することを含み、前記方法はさらに、前記遮断器の状態に基づいて、前記アセットのうち少なくとも１つの適合性を調節することを備える、請求項５に記載の方法。
【請求項７】
前記レジリエンス指数は、破壊的事象に対応するための機能ごとに１つずつ、複数の閾値と比較され、前記方法はさらに、前記閾値を超えた機能を支援するためにアセットを選択することを備える、前記請求項のいずれか１項に記載の方法。
【請求項８】
前記制御システムはリモート制御システムである、前記請求項のいずれか１項に記載の方法。
【請求項９】
前記マイクログリッド（１０）は全体的な制御機能（ＭＣＦ）を有し、前記状態データを取得することは、前記全体的な制御機能についても状態データを取得することを含み、破壊的事象に対応するための前記複数の機能の各々を支援するために各アセットの健全性および可用性を判断することは、前記全体的な制御機能の前記状態データにも基づく、前記請求項のいずれか１項に記載の方法。
【請求項１０】
前記レジリエンス指数をエネルギー管理システムに提供することをさらに備える、前記請求項のいずれか１項に記載の方法。
【請求項１１】
複数のアセット（１４、１６、１８、２０）を含むマイクログリッド（１０）においてレジリエンスを判断するための配置であって、各アセットは、前記マイクログリッドにおける異なる種類の電気エネルギーサブシステムであり、前記配置は少なくとも１つの制御ユニット（３０、３２、３４、３６、３８）を含み、前記少なくとも１つの制御ユニットは、
前記アセットを制御するために用いられる装置（３２、３４、３６、３８）およびこの制御の通信リソースに関する状態データを取得するように構成され、前記アセットを制御するために用いられる前記装置に関する前記状態データは、ハードウェア状態データおよび／またはソフトウェア状態データを含み、さらに、
前記状態データに基づいて、前記マイクログリッドにおいて破壊的事象に対応するための複数の機能（Ｆ１、Ｆ２、Ｆ３）の各々を支援するために、各アセットの健全性および可用性を判断し、
前記複数の機能（Ｆ１、Ｆ２、Ｆ３）を行う際に、前記マイクログリッドのレジリエンス指数（ＲＩ）を判断するように構成され、前記レジリエンス指数は、破壊的事象に対応するための前記機能（Ｆ１、Ｆ２、Ｆ３）のすべてに関する各アセット（１４、１６、１８、２０）の個別のアセット健全性および可用性に基づいて判断され、さらに、
前記レジリエンス指数（ＲＩ）を少なくとも１つの閾値と比較し、かつ、前記閾値のいずれかを超える場合、前記マイクログリッド（１０）の前記制御を変更するように構成される、配置。
【請求項１２】
前記少なくとも１つの制御ユニットは、前記状態データを取得するように配置された少なくとも１つのコミットメント判断モジュール（ＣＤＭ）と、レジリエンス指数（ＲＩ）を判断するように配置された少なくとも１つのレジリエンス判断モジュール（ＲＤＭ）と、前記レジリエンス指数（ＲＩ）を少なくとも１つの閾値と比較し、かつ、前記閾値のいずれかを超える場合、前記マイクログリッド（１０）の前記制御を変更するように配置されたレジリエンス調査モジュール（ＲＩＭ）とを含む、請求項１１に記載の配置。
【請求項１３】
複数の局所制御ユニット（３２、３４、３６）と中央制御ユニット（３０）とをさらに備え、各コミットメント判断モジュール（ＣＤＭ）は対応する局所制御ユニット（３２、３４、３６）に設けられ、前記レジリエンス調査モジュール（ＲＩＭ）は前記中央制御ユニット（３０）に設けられ、前記レジリエンス判断モジュール（ＲＤＭ）は局所制御ユニットまたは前記中央制御ユニットに設けられる、請求項１２に記載の配置。
【請求項１４】
複数のアセット（１４、１６、１８、２０）を含むマイクログリッド（１０）においてレジリエンスを判断するためのコンピュータプログラム製品であって、各アセットは、前記マイクログリッドにおける異なる種類の電気エネルギーサブシステムであり、前記コンピュータプログラム製品は、コンピュータプログラムコード（７２）を有するデータキャリア（７０）を備え、前記コンピュータプログラムコード（７２）は、前記コンピュータプログラムコードが制御ユニット（３０、３２、３４、３６、３８）内にロードされると、前記制御ユニット（３０、３２、３４、３６、３８）の少なくとも１つに、
前記アセットを制御するために用いられる装置（３２、３４、３６、３８）および前記制御の通信リソースについて状態データを取得し、かつ、前記状態データに基づいて、前記マイクログリッドにおいて破壊的事象に対応するための複数の機能（Ｆ１、Ｆ２、Ｆ３）の各々を支援するために各アセットの健全性および可用性を判断するように配置された少なくとも１つのコミットメント判断モジュール（ＣＤＭ）を設けさせるように構成され、前記アセットを制御するために用いられる前記装置に関する前記状態データは、ハードウェア状態データおよび／またはソフトウェア状態データを含み、さらに、
前記複数の機能（Ｆ１、Ｆ２、Ｆ３）を行う際に前記マイクログリッドのレジリエンス指数（ＲＩ）を判断するように配置された少なくとも１つのレジリエンス判断モジュール（ＲＤＭ）を設けさせるように構成され、前記レジリエンス指数は、破壊的事象に対応するための前記機能（Ｆ１、Ｆ２、Ｆ３）のすべてに関する各アセット（１４、１６、１８、２０）の個別のアセット健全性および可用性に基づいて判断され、さらに、
前記レジリエンス指数（ＲＩ）を少なくとも１つの閾値と比較し、かつ、前記閾値のいずれかを超える場合、前記マイクログリッド（１０）の前記制御を変更するように配置されたレジリエンス調査モジュール（ＲＩＭ）を設けさせるように構成される、コンピュータプログラム製品。
【発明の詳細な説明】
【技術分野】
【０００１】
技術分野
本発明は、マイクログリッドにおいてレジリエンスを判断するための方法、配置およびコンピュータプログラム製品に関する。
【背景技術】
【０００２】
背景
マイクログリッドは、局所的な電力生成および消費、ならびに、メイングリッドに対する接続の用途にとって興味深いものである。そのようなマイクログリッドは、電気エネルギーの生成、貯蔵および／または消費に使用される複数のアセットを含み得る。マイクログリッドがシステムであると考えられる場合、アセットは、それに対するおよび／またそこからの電力の送達が可能な電気サブシステムでもよい。
【０００３】
マイクログリッドでは、破壊的事象に関するレジリエンスについて知るのは興味深い場合がある。
【０００４】
レジリエンスは、「破壊的事象の規模および／または継続時間を低減させる能力。強靱なインフラストラクチャまたは企業の有効性は、潜在的な破壊的事象を予測し、吸収し、それに適応し、および／またはそれから迅速に回復する能力によって決まる」と定義可能である。この定義は、国家インフラストラクチャ諮問委員会（ＮＩＡＣ）による２００９年の重要インフラレジリエンス最終報告および提言（Critical Infrastructure Resilience Final Report and Recommendations）による。
【０００５】
レジリエンスは、破壊的事象（たとえば、サイバーアタック、災害）の場合に、復旧時間の最小化に寄与し得るアクションの適応に関して決定を行う際にサポートを提供し、決定を容易にし得る。
【０００６】
レジリエンスの判断について記載した文献が多数存在する。
ＵＳ  ２０１７／００４０８３９はたとえば、不測の事態に直面して、安定した動作を確保するための３レベルマイクログリッド制御アーキテクチャを示す。レジリエンスメトリクスが、現在のシステム状態を含む複数のパラメータから計算され、システムは、それに基づいて不測の事態のレベルを仮定すると定められている。不測の事態のレベルは、起こり得る破壊を確実に最小限にするための運用上の決定の基準である。
【０００７】
ＵＳ  ２０１７／００４６４５８は、グリッドのトポロジーの仮想モデルの作成、瞬間パラメータの測定および将来の事象のシミュレーションによって、マイクログリッドに対して電力分析を行うためのシステムを示す。リアルタイムの測定値が予測値と比較され、偏差が度合いについて評価され、必要であれば、オペレータのためにアラームが出力される。システムセキュリティ指数は、さまざまな安全指数から計算され、不測の事態に耐えるグリッドの能力を示す。
【０００８】
ＣＮ  １０３９０３０５８Ａは、安全および緊急時の能力のメトリクスを含む、広範囲にわたる評価指数システムに基づくスマートグリッド監視および制御方法を示す。このメトリクスは、計画および決定で役立つ。
【０００９】
上述のレジリエンスの判断は、すべて一元管理されており、やや複雑である。そこで、マイクログリッドについてのレジリエンスの判断に対して他の、および上述したすべてのより簡潔で分散化されたアプローチを用いることは興味深いであろう。
【発明の概要】
【発明が解決しようとする課題】
【００１０】
概要
それゆえ、本発明の目的は、分散化アプローチに基づいて簡易かつ迅速な、マイクログリッドのレジリエンスを判断する代替的な方法を得ることである。
【課題を解決するための手段】
【００１１】
この目的は、複数のアセットを含むマイクログリッドにおいてレジリエンスを判断する方法によって実現される本発明の第１の側面に従い、各アセットは、マイクログリッドにおける異なる種類の電気エネルギーサブシステムであり、方法は、アセットを制御するために用いられる装置およびこの制御の通信リソースに関する状態データを取得することを備え、アセットを制御するために用いられる装置に関する状態データは、ハードウェア状態データおよび／またはソフトウェア状態データを含み、方法はさらに、状態データに基づいて、マイクログリッドにおいて破壊的事象に対応するための複数の機能の各々を支援するために、各アセットの健全性および可用性を判断することと、複数の機能を行う際に、マイクログリッドのレジリエンス指数を判断することとを備え、レジリエンス指数は、破壊的事象に対応するための機能のすべてに関する各アセットの個別のアセット健全性および可用性に基づいて判断され、方法はさらに、レジリエンス指数をマイクログリッドの制御システムに提供することと、制御システムにおいて、レジリエンス指数を少なくとも１つの閾値と比較することと、閾値のいずれかを超える場合、マイクログリッドの制御を変更することとを備える。
【００１２】
この目的は、複数のアセットを含むマイクログリッドにおいてレジリエンスを判断するための配置によって実現される本発明の第２の側面に従い、各アセットは、マイクログリッドにおける異なる種類の電気エネルギーサブシステムであり、配置は少なくとも１つの制御ユニットを含み、少なくとも１つの制御ユニットは、アセットを制御するために用いられる装置およびこの制御の通信リソースに関する状態データを取得するように構成され、アセットを制御するために用いられる装置に関する状態データは、ハードウェア状態データおよび／またはソフトウェア状態データを含み、少なくとも１つの制御ユニットはさらに、状態データに基づいて、マイクログリッドにおいて破壊的事象に対応するための複数の機能の各々を支援するために、各アセットの健全性および可用性を判断し、これらの複数の機能を行う際に、マイクログリッドのレジリエンス指数を判断するように構成され、レジリエンス指数は、破壊的事象に対応するための機能のすべてに関する各アセットの個別のアセット健全性および可用性に基づいて判断され、少なくとも１つの制御ユニットはさらに、レジリエンス指数を少なくとも１つの閾値と比較し、閾値のいずれかを超える場合、マイクログリッドの制御を変更するように構成される。
【００１３】
少なくとも１つの制御ユニットは、状態データを取得するように配置された少なくとも１つのコミットメント判断モジュールと、レジリエンス指数を判断するように配置された少なくとも１つのレジリエンス判断モジュールと、レジリエンス指数を少なくとも１つの閾値と比較し、かつ、閾値のいずれかを超える場合、マイクログリッドの制御を変更するように配置されたレジリエンス調査モジュールとを含む。
【００１４】
配置はさらに、複数の局所制御ユニットと中央制御ユニットとを備え、各コミットメント判断モジュールは対応する局所制御ユニットに設けられ、レジリエンス調査モジュールは中央制御ユニットに設けられ、レジリエンス判断モジュールは局所制御ユニットまたは中央制御ユニットに設けられる。
【００１５】
この目的は、複数のアセットを含むマイクログリッドにおいてレジリエンスを判断するためのコンピュータプログラム製品によって実現される本発明の第３の側面に従い、各アセットは、マイクログリッドにおける異なる種類の電気エネルギーサブシステムであり、コンピュータプログラム製品は、コンピュータプログラムコードを有するデータキャリアを備え、コンピュータプログラムコードは、コンピュータプログラムコードが制御ユニット内にロードされると、少なくとも１つの制御ユニットに、アセットを制御するために用いられる装置およびこの制御の通信リソースについて状態データを取得し、かつ、状態データに基づいて、マイクログリッドにおいて破壊的事象に対応するための複数の機能の各々を支援するために各アセットの健全性および可用性を判断するように配置された少なくとも１つのコミットメント判断モジュールを設けさせるように構成され、アセットを制御するために用いられる装置に関する状態データは、ハードウェア状態データおよび／またはソフトウェア状態データを含み、少なくとも１つの制御ユニットにさらに、複数の機能を行う際にマイクログリッドのレジリエンス指数を判断するように配置された少なくとも１つのレジリエンス判断モジュールを設けさせるように構成され、レジリエンス指数は、破壊的事象に対応するための機能のすべてに関する各アセットの個別の健全性および可用性に基づいて判断され、少なくとも１つの制御ユニットにさらに、レジリエンス指数を少なくとも１つの閾値と比較し、かつ、閾値のいずれかを超える場合、マイクログリッドの制御を変更するように配置されたレジリエンス調査モジュールを設けさせるように構成される。
【００１６】
レジリエンス指数は、破壊的事象に対応するための各機能ごとに１つずつ、複数の閾値と比較され、方法はさらに、閾値を超えた機能を支援するためにアセットを選択することを備えることが可能である。
【００１７】
少なくとも１つの制御ユニットはさらに、レジリエンス指数を比較するときに、レジリエンス指数を複数の指数と比較するように構成され、指数は破壊的事象に対応するための機能ごとに１つずつ設けられ、さらに、機能に対するアセットの適合性に基づいて、閾値を超えた機能を支援するためのアセットを選択するように構成されることがさらに可能である。
【００１８】
状態データに基づいて判断することは、そのため、マイクログリッドにおける複数の機能の各々を支援するために、各アセットの健全性および各アセットの可用性を判断することを含み得る。この判断はさらに、マイクログリッドにおける破壊的事象に対応するための複数の機能の各々を支援するために、各アセットの能力を判断することを含み得る。
【００１９】
マイクログリッドは、アセットを接続可能な母線を含み得る。この場合、アセットは、エネルギーを受信および／または母線に送達するためのサブシステムでもよい。
【００２０】
アセットは、少なくとも１つの電気エネルギー生成システムを含み得る。アセットはさらにまたは代わりに、少なくとも１つの電気エネルギー貯蔵サブシステムを含み得る。アセットはさらにまたは代わりに、少なくとも１つの電気エネルギー消費サブシステムを含み得る。
【００２１】
状態データは、アセットの内蔵機能についての状態を含み得る。状態データは、アセットの内蔵機能の監視によって取得してもよい。
【００２２】
状態データは、アセットの制御で用いられる装置から取得されてもよい。状態データは、アセットを制御するために用いられるコンポーネントにおいて一体化されてもよい。代替的にまたは代わりに、状態データは、サードパーティ・プロバイダからなど、マイクログリッドの外部から取得されてもよく、および／または、コンポーネント内で一体化されてもよい。
【００２３】
判断されたレジリエンス指数は、破壊的事象に対応するための複数の機能の各々についてレジリエンス値を含み得る。判断されたレジリエンス指数は、さらにまたは代わりに、破壊的事象に対応するための複数の機能の各々についての個別のレジリエンス値によって得られるレジリエンス合計値を含み得る。レジリエンス指数は、一例として、レジリエンス値のベクトルまたはマトリックスとして提供されてもよい。
【００２４】
マイクログリッドにおいて破壊的事象に対応するための複数の機能の各々に関するアセットの可用性および健全性は、複数の値として設けられてもよく、１つの値が、１つの機能についての可用性と健全性との両方を表す。可用性および健全性の値は、ベクトルまたはマトリックスで提供されてもよい。能力が判断されると、そのような１つの値は、可用性および健全性に加えて能力を表してもよい。
【００２５】
第１の側面の第１の変形例によると、方法はさらに、破壊的事象に対応するための機能の各々に対する各アセットの適合性を取得することを備え、レジリエンスは適合性にも基づいて判断される。
【００２６】
第２の態様の対応する第１の変形例によると、少なくとも１つの制御ユニットは、破壊的事象に対応するための機能の各々に対する各アセットの適合性を取得するように構成され、少なくとも１つの制御ユニットは、レジリエンスを判断するときに、さらに適合性にも基づいてレジリエンスを判断するように構成される。
【００２７】
また、機能の各々に対するアセットの適合性は、機能ごとに１つずつ、複数の値として提供されてもよい。
【００２８】
他の変形例によると、方法は、アセットごとに、破壊的事象に対応する機能に与えられたサポートを定義する機能コミットメントを判断することを備え、アセットの機能コミットメントは、破壊的事象に対応する複数の機能の各々についての可用性、健全性、適合性および場合によっては能力も含む。破壊的事象に対応する機能は、電力バランス機能、電圧制御機能、周波数制御機能およびブラックスタート機能のうち少なくとも１つを含み得る。
【００２９】
第２の側面の対応する変形例によると、少なくとも１つの制御ユニットは、アセットごとに、破壊的事象に対応する機能に与えられたサポートを定義する機能コミットメントを判断するように構成され、アセットの機能コミットメントは、破壊的事象に対応する複数の機能の各々についての可用性、健全性、適合性および場合によっては能力も含む。
【００３０】
マイクログリッドは、遮断器を介して外部グリッドに接続されてもよい。
第１の側面のさらに別の変形例によると、状態データの取得は、遮断器の状態データを取得することを含み、方法はさらに、遮断器の状態に基づいて、アセットのうち少なくとも１つの適合性を調節するステップを備える。
【００３１】
第２の側面の対応する変形例によると、少なくとも１つの制御ユニットはさらに、状態データを取得するときに、遮断器の状態データを取得するように構成され、さらに、遮断器の状態に基づいて、アセットのうち少なくとも１つの適合性を調節するように構成される。
【００３２】
マイクログリッドはさらに、全体的な制御機能を有してもよい。
第１の側面のさらに別の変形例によると、状態データを取得することは、全体的な制御機能にも関する状態データを取得することを含んでもよく、破壊的事象に対応するための複数の機能の各々を支援するために各アセットの健全性、可用性および場合によっては能力も判断することは、全体的な制御機能の状態データにも基づいてもよい。
【００３３】
第２の態様の対応する変形例によると、少なくとも１つの制御ユニットはさらに、状態データを取得するときに、全体的な制御機能にも関する状態データを取得するように構成され、さらに、破壊的事象に対応するための複数の機能の各々を支援するために各アセットの健全性、可用性および場合によっては能力も判断するときに、全体的な制御機能の状態データにも基づいて健全性、可用性および場合によっては能力も判断するように構成される。
【００３４】
レジリエンス指数の判断は、レジリエンス値について閾値を判断することを含んでもよく、閾値は、高すぎる値または低すぎる値に関連してもよい。
【００３５】
判断されたレジリエンス指数および関連付けられた閾値は、オフラインおよびオンライン決定のために、制御システムに提供されてもよい。
【００３６】
制御システムは、上述の全体的な制御を行うシステム、または、アセットの局所的な制御システムでもよい。しかしながら、制御システムはさらに、全体的な制御に関する仮想発電所などの、リモート制御システムでもよい。
【００３７】
レジリエンス指数およびそのような閾値はさらに、オペレータに対して呈示されてもよい。これらは、異なるマイクログリッド機能についての警報信号として用いることができる。場合によっては、そのような警報信号によって、オペレータは、マイクログリッドにおいて予測不能の問題がある場合に決定を行うことが可能になる。
【００３８】
レジリエンスおよび場合によってはそのような閾値もさらに、マイクログリッドの動作およびメンテナンスを計画するためにエネルギー管理システム（ＥＭＳ）に提供されてもよい。
【００３９】
レジリエンス指数はさらに、自動マイクログリッド動作において使用されてもよい。
そのような自動マイクログリッド動作に関する第１の側面のさらに別の変形例では、方法はさらに、レジリエンス指数を少なくとも１つの閾値と比較し、閾値のいずれかを超えると、マイクログリッドの制御を変更することを備える。
【００４０】
アセットの選択は、機能に対するアセットの適合性に基づいてもよい。この選択はさらにまたは代わりに、機能に関するアセットの健全性、可用性、および場合によっては能力に基づいてもよい。
【００４１】
レジリエンスの判断は、マイクログリッドの動作中は常に行われてもよい。それゆえ、レジリエンスを求めるために実施されるこれらのステップは、定期的に、たとえば周期的に繰り返されてもよい。
【００４２】
本発明には複数の利点がある。本発明は、レジリエンスについて価値のある情報を提供する。これにより、多くの用途向けにマイクログリッドの機能がサポートされる。また、マイクログリッドの事前対応的な制御を可能にし、再開時間を減らし、遮断および／または機能停止を防止する、マイクログリッドレジリエンスを改善するための予防的な対策をとることができる。これにより、特に自然災害またはサイバーアタックの後に、事後保全コストおよび予防保全コストを節約可能である。
【００４３】
本発明について、添付の図面を参照して以下で説明する。
【図面の簡単な説明】
【００４４】
【図１】局所制御ユニットおよび中央制御ユニットを用いて、複数のアセットを有するマイクログリッドが制御される状態を概略的に示す図である。
【図２】中央制御ユニットのある実現例を概略的に示す図である。
【図３】局所制御ユニットのある実現例を概略的に示す図である。
【図４】マイクログリッドにおいてレジリエンスを判断する方法の複数の方法ステップを示すフローチャートである。
【図５】マイクログリッドの動作に影響を及ぼす際に判断されたレジリエンス指数を用いるための複数の方法ステップのフローチャートを概略的に示す図である。
【図６】中央制御ユニットと局所制御ユニットとの間のデータのやり取り、およびこれらのユニットによって行われるさまざまな判断を示す図である。
【図７】異なる所望の機能についての機能コミットメントの計算を示す図である。
【図８】レジリエンスを評価するために中央制御ユニットによって受信されたすべてのそのような機能コミットメントの結合を示す図である。
【図９】中央制御ユニットおよび複数の局所制御ユニットにおいて行われる処理に基づいて、中央制御ユニットにおけるレジリエンス判断を実現する制御概略図である。
【図１０】中央制御ユニットおよび複数の局所制御ユニットにおいて行われる処理に基づいて、中央制御ユニットにおけるレジリエンス判断を実現する別の制御概略図である。
【図１１】中央制御ユニットおよび複数の局所制御ユニットにおいて行われる処理に基づいて、中央制御ユニットにおけるレジリエンス判断を実現する他の代替的な制御概略図である。
【図１２】中央制御ユニットおよび複数の局所制御ユニットにおけるレジリエンス判断を実現するさらに代替的な制御概略図である。
【図１３】レジリエンス判断および調査機能を実現するために、ＣＤ−ＲＯＭディスクの形式で、コンピュータプログラムコードを有するデータキャリアを備えるコンピュータプログラム製品を示す図である。
【発明を実施するための形態】
【００４５】
詳細な説明
以下では、マイクログリッドのレジリエンスを判断するためのシステム、方法およびコンピュータプログラム製品の好ましい実施形態について詳細に説明する。
【００４６】
図１は、マイクログリッド１０またはメインシステム、およびマイクログリッド１０を制御するためのさまざまな制御ユニットを概略的に示す図である。マイクログリッド１０は、複数のサブシステムから構成されるシステムと考えられてもよい。そのため、マイクログリッド１０は、複数のサブシステムが接続された母線１２を備える。以下では、そのようなサブシステムはアセットであると考えられる。第１のインターフェースデバイス２２を介して母線１０に接続された第１のサブシステムまたはアセット１４、母線１２に直接接続された第２のサブシステムまたはアセット１６、同様に母線１０に直接接続された第３のサブシステムまたはアセット１８、および第２のインターフェースデバイス２４を介して母線１２に接続された第４のサブシステムまたはアセット２０が存在する。また、母線１２は、外部グリッドインターフェース２６を介してメインまたは外部グリッド２８に接続され、外部グリッドインターフェース２６は遮断器を含み得る。
【００４７】
アセットは、マイクログリッド１２における電気エネルギーサブシステムでもよい。アセットはそのため、電気エネルギーの受信および／または母線１２への送達のためのサブシステムでもよい。
【００４８】
第１のアセット１４は、バッテリシステムなどの電気エネルギー貯蔵システムでもよい。第２のアセット１６は、ディーゼル発電機システムなどの第１の電気エネルギー生成システムでもよく、第３のアセット１８は、制御可能な電気負荷または電気エネルギー消費サブシステムでもよく、第４のアセット２４は、たとえば太陽光発電（ＰＶ）要素を用いる太陽光発電サブシステムとしての、第２の電気エネルギー生成システムでもよい。
【００４９】
マイクログリッド１０はしたがって、少なくとも１つの電気エネルギー生成サブシステムを備え得る。代替的にまたはさらに、マイクログリッドは、少なくとも１つの電気エネルギー貯蔵サブシステムを備え得る。代替的にまたはさらに、マイクログリッドは、少なくとも１つの電気エネルギー消費サブシステムを備え得る。
【００５０】
なお、ここでは、風力発電所としての第３の電気エネルギー生成サブシステムでもよい第５のアセットなど、さらに他のアセットを有することも可能であり、このアセットも、インターフェースデバイスを介して母線１２に接続されてもよい。また、マイクログリッド１０は、より少ない数のサブシステムを備えてもよい。
【００５１】
母線１２は、交流（ＡＣ）母線でもよい。アセットのうちのいくつかは直流（ＤＣ）で動作してもよく、これらは、ＡＣ／ＤＣコンバータを含むインターフェースデバイスを介して、この母線１２に接続される。他のいくつかのアセットはＡＣで動作してもよく、これらはそのため、母線に直接接続されてもよい。上述の例では、第１のアセット１４はＤＣで動作するエネルギー貯蔵システムであり、そのため、第１のインターフェースデバイス２２はＡＣ／ＤＣコンバータを含む。第２のアセット１６は、ＡＣで動作するディーゼル発電機システムであり、そのため、母線１２に直接接続されてもよい。また、負荷である第３のアセット１８はＡＣで動作し、そのため、母線１２に直接接続されてもよい。また、ＰＶサブシステムである第４のアセット２０はＤＣで動作し、そのため、第２のインターフェースデバイス２４はＡＣ／ＤＣコンバータを含む。
【００５２】
なお、母線１２は代替例としてＤＣ母線でもよく、その場合、ＤＣで動作するサブシステムは、母線に直接接続されてもよく、ＡＣで動作するサブシステムは、ＤＣ／ＡＣコンバータを介して接続されてもよい。外部またはメイングリッド２８は、ＡＣグリッドまたはＤＣグリッドでもよく、どの種類のグリッドであるか、およびマイクログリッドでどの種類の母線が使用されるかによって、外部のグリッドインターフェース２６は、ＡＣとＤＣとの間の変換に好適なコンバータを含み得る。
【００５３】
なお、さらに、ＡＣサブシステムはＡＣ／ＡＣコンバータを介してＡＣ母線に接続されてもよく、ＤＣサブシステムは、ＤＣ／ＤＣコンバータを介してＤＣ母線に接続されてもよい。
【００５４】
エネルギーを受信および／または送達するためのマイクログリッド１０の各アセットを制御するために、局所制御機能を含む対応する局所制御ユニットが存在する。それゆえ、第１のアセット１４を制御するための第１の局所制御ユニット３２、第２のアセット１６を制御するための第２の局所制御ユニット３４、第３のアセット１８を制御するための第３の局所制御ユニット３６、および第４のアセット２０を制御するための第４の局所制御ユニット３８がある。第１のアセット１４は電気エネルギー貯蔵システムによって例示されるため、第１の制御ユニット３２は貯蔵制御装置でもよく、第２のアセット１６はディーゼル発電機システムによって例示されるため、第２の局所制御ユニット３４はディーゼル制御装置でもよく、第３のアセット１８は制御可能な電気負荷によって例示されるため、第３の局所制御ユニット３６は負荷制御装置でもよく、第４のアセット２０はＰＶ生成サブシステムによって例示されるため、第４の局所制御ユニット３８はＰＶ制御装置でもよい。
【００５５】
また、局所制御ユニットの各々は、マイクログリッド１０の全体的な制御についての機能を含むマイクログリッド１０についての全体的な制御ユニットである、中央制御ユニット３０またはネットワーク制御装置と通信する。また、中央制御ユニット３０に接続されたオペレータ端末４０があり、オペレータ端末４０は、マイクログリッドオペレータに情報を呈示してもよい。図では、レジリエンス標識ＲＩとしてのある種類の情報が、中央制御ユニット３０によってオペレータ端末４０に提供されて呈示されると示されている。
【００５６】
図では、局所制御ユニット３２、３４、３６および３８は、４つの機能コミットメントＦＣ１、ＦＣ２、ＦＣ３およびＦＣ４を主制御ユニット３０に送信すると示され、これらは、可用性、健全性および適合性の指数である。
【００５７】
各制御ユニットは、全体的なまたは局所的な制御機能などの制御機能を含む制御モジュールなど、関連付けられたメモリおよびソフトウェアを有するプロセッサなどのハードウェアとして実現可能である。局所的な制御機能は、対応するアセットを制御するために、すなわち、サブシステムを制御するために設けられてもよい。そのような制御は、電気エネルギーをサブシステムにおよび／またはサブシステムから送達するための制御を含み得る。ディーゼル発電機サブシステムおよびＰＶ生成サブシステムなどのサブシステムの一部は、電気エネルギーを送達可能であるにすぎず、制御可能な負荷サブシステムなどのサブシステムの一部は、電気エネルギーを受信可能であるにすぎない一方で、エネルギー貯蔵サブシステムなどの他のシステムは、電気エネルギーの送達と受信との両方が可能である。
【００５８】
また、各制御ユニットは、マイクログリッド１０内の他の制御ユニットまたはマイクログリッド１０外部のエンティティと通信するための通信インターフェースを有してもよい。
【００５９】
図２は、中央制御ユニット３０のある実現例を概略的に示す図である。中央制御ユニット３０は、プロセッサＰＲ４２、およびコンピュータプログラム命令を含む関連付けられたプログラムメモリＭ４４としてのハードウェアを含む。コンピュータプログラム命令は、全体的なマイクログリッド制御機能を有する主制御モジュールＭＣＭを実現するための命令、レジリエンス判断モジュールＲＤＭを実現するための命令、レジリエンス調査モジュールＲＩＭを実現するための命令、および場合によっては、データ収集モジュールＤＣＭを実現するための命令を含む。主制御モジュールＭＣＭは、局所制御ユニットによって行われる個別の制御を考慮するマイクログリッドの全体的な制御モジュールである。また、主制御モジュールＭＣＭがローカルおよび外部制御モジュールなどの他の制御モジュールと通信することを可能にするための、プロセッサ３４に接続された第１の通信インターフェースＣＩ４６がある。また、レジリエンス判断モジュールＲＤＭと、おそらく、レジリエンス調査モジュールＲＩＭとが、通信インターフェース４６を介して通信してもよい。
【００６０】
同様に、図３は、ここでは第１の局所制御ユニット３２によって例示される、局所制御ユニットの実現例を概略的に示す図である。局所制御ユニット３２は、プロセッサＰＲ４８、およびコンピュータプログラム命令を含む関連付けられたプログラムメモリＭ５０としてのハードウェアを含む。コンピュータプログラム命令は、上述した例ではエネルギー貯蔵制御モジュールである、局所制御機能を有する上述の局所制御モジュールＬＣＭを実現するための命令を含む。また、コミットメント判断モジュールＣＤＭがある。また、局所制御ユニット３２は、局所制御モジュールＬＣＭを、メインまたは全体的な制御モジュール、外部制御モジュール、データ収集モジュールおよび他のコミットメント判断モジュールなどの他の制御モジュールと通信可能にするために、プロセッサ４８に接続された通信インターフェース５２を含む。また、コミットメント判断モジュールＣＤＭは、他の局所制御ユニットのコミットメント判断モジュール、およびレジリエンス判断モジュールＲＤＭ、データ収集モジュールＤＣＭ、および可能であればレジリエンス調査モジュールＲＩＭとも通信するために、通信インターフェース５２を用いてもよい。
【００６１】
先に開示された例示的なマイクログリッド１０は分散制御を有し、局所制御ユニットは、対応するマイクログリッド機能を最適な態様で行うために、制御されたサブシステムの挙動を最適化する。この目的を達成するために、各アセットは、局所制御ユニットを介して他のアセットと状態を共有する必要がある。そのため、各アセットについての局所制御ユニットは、マイクログリッドにおいて割当てられた機能、およびすべてのマイクログリッドアセットの状態（それら自体の状態も含む）に基づいて、各時間において最適な計画の決定を行う可能性がある。
【００６２】
上述したように、破壊的事象に対するレジリエンスは、そのようなマイクログリッドでは重要な問題である。それゆえ、たとえばレジリエンス指数としてのレジリエンス表示としてレジリエンスを判断することは興味深く、この表示を、全体的な制御またはエネルギー管理システム（ＥＭＳ）において用いてもよい。
【００６３】
レジリエンスは、時間が経つにつれ進化および発展する、複数のスケールにまたがる自然および人間の力の交差点で発生する複雑な埋込まれたプロセスとして事態を理解する助けになり得るシステムの視点および状況認識を必要とする。
【００６４】
マイクログリッドのレジリエンスを改善する重要な要素は、以下のように要約できる。
・関連付けられたコンポーネントを有するアセットの能力および接続性を監視すること：ハードウェア、ソフトウェア、通信など（たとえば、状態、機能可用性、環境条件など）。
・状況認識（発生している事態についてデータを迅速に詳細に調べ、貴重な情報を抽出する能力、およびアクションを行うべき人間のオペレータに対する効果的な通信）。
・最小限の時間での回復を助け得るマイクログリッド構成、製造および負荷の（完全または部分的に自動化された）迅速な適応能力。
【００６５】
マイクログリッドシステムはそのため、マイクログリッドアセットの健全性および能力などの状態、ならびに特定の機能の可用性に基づいて、マイクログリッドオペレータのためにレジリエンスを判断可能でなければならず、レジリエンスは、レジリエンス表示の判断によって判断され得る。
【００６６】
マイクログリッドが提供すると期待される、破壊的事象に対応するために用いられる重要な機能の一部は、以下の通りである。
・電力バランス
・電圧制御
・周波数制御
・ブラックスタート
本発明のさまざまな側面によると、レジリエンスは、破壊的事象に対応する多数の機能について判断され、これらの機能はそれゆえ、破壊的事象対応機能とも呼ばれる。
【００６７】
本発明のさまざまな側面によると、レジリエンスは、異なる種類のアセットの状態の調査に基づいて判断される。各アセットはそれゆえ、個別に状態について調査され、各破壊的事象対応機能に対する各アセットの影響を、たとえば１つ以上のレジリエンス標識で呈示してもよい。さらに、全体的な制御機能および／または外部グリッドインターフェース２６の遮断器を介したメイングリッドへの接続を調査し、破壊的事象対応機能に対するこれらのうちの一方または両方の影響を考慮することが可能である。
【００６８】
これがどのように行われるかについて、マイクログリッド１０についてレジリエンスを判断する方法の複数の方法ステップを示す図４も参照して説明する。これらの方法ステップは、中央制御ユニット３０のレジリエンス判断モジュールＲＤＭ、ならびに中央および局所制御ユニット３２、３４、３６および３８の異なるコミットメント判断モジュールＣＤＭによって行われる。
【００６９】
方法は、ステップ５４で、異なるアセット１４、１６および１８と関連付けられた各コミットメント判断モジュールＣＤＭが、各アセットの状態データを取得することから始まる。場合によっては、中央制御ユニット３０のデータ収集モジュールＤＣＭも、全体的な制御機能および／または外部グリッドインターフェースの遮断器の状態データを取得する。
【００７０】
これは、図１のシステムの例において、第１の局所制御ユニット３２によって実現されているコミットメント判断モジュールＣＤＭが、第１のアセット１４に関連する状態データを取得すること、第２の局所制御ユニット３４のコミットメント判断モジュールが、第２のアセット１６に関連する状態データを取得すること、第３の局所制御ユニット３２のコミットメント判断モジュールが、第３のアセット１８に関連する状態データを取得すること、および、第４の局所制御ユニット３８のコミットメント判断モジュールが、第４のアセット２０に関連する状態データを取得することを意味する。場合によっては、中央制御ユニット３０のコミットメント判断モジュールＣＤＭも、主制御モジュールＭＣＭに関連する状態データおよび／または外部グリッドインターフェース２６の遮断器に関連する状態データを取得する。データ収集モジュールＤＣＭは、収集した状態データを、局所制御ユニットのコミットメント判断モジュールＣＤＭに送信してもよい。
【００７１】
アセットおよび全体的な制御機能の状態データは、使用される場合、より特定的に、制御機能の実行に関する状態データを含み得る。本発明の側面によると、これは、制御モジュールを実現するために用いられる装置についてのデータ、すなわち、全体的な制御機能およびアセットに関する局所制御機能を行うために用いられる異なる制御ユニット３０、３２、３４、３６および３８についてのデータである。状態データは、より特定的に、制御ユニットのハードウェアおよび／またはソフトウェアについてのデータでもよい。アセットの状態データはそれゆえ、また、アセットを制御する局所制御ユニットのプロセッサおよびプログラムメモリに関するデータ、または、これらのメモリに格納された局所制御モジュールＬＣＭに関するデータを含む。また、状態データは通信関連データも含み、通信関連データは、局所制御ユニットの通信インターフェースによって用いられる帯域幅などの通信リソースである、この局所制御モジュールが利用可能な通信リソースについてのデータである。主制御の状態データは、中央制御ユニットのプロセッサおよびプログラムメモリについてのデータ、ならびにこれらのメモリに格納された主制御モジュールに関するデータを含み得る。また、状態データは、主制御モジュールが利用可能な、帯域幅などの通信リソースについてのデータを含み、これらのリソースは、中央制御ユニットの通信インターフェースによって用いられる通信リソースである。また、状態データは、アセットの内蔵機能を監視するコミットメント判断モジュールＣＤＭによって取得可能な、アセットの内蔵機能についての状態を含み得る。状態データはさらに、アセットの制御で用いられる装置から取得されてもよい。より特定的に、アセットを制御するために用いられるコンポーネントにおいて一体化されてもよい。代替的にまたは代わりに、状態データは、サードパーティ・プロバイダなど、マイクログリッド外部から取得されてもよい。
【００７２】
遮断器の状態データは、それが開放されているかまたは投入されているかについてのデータを含み得る。
【００７３】
第１の局所制御ユニット３２の例では、コミットメント判断モジュールＣＤＭはそれゆえ、プロセッサ４８およびメモリ５０に関連する状態データ、局所制御モジュールＬＣＭに関する状態データ、ならびに通信インターフェース５２が利用可能な通信リソースに関する状態データを取得する。場合によっては、プロセッサ４２、メモリ４４および通信インターフェース４６および／または遮断器に関連する状態データも取得する。
【００７４】
装置関連状態データは、残りのメモリ空間における制限など、追加の機能を行う際にハードウェアおよびソフトウェアにおける制限を含み得る。また、ハードウェアおよび／またはソフトウェアに対する変化についてのデータ、ならびに以前の不具合および障害についてのデータを含み得る。アセット関連状態データは、利用可能な電力、ヘッドルームおよび制御モード、ならびにサポートされる特徴についてのデータなど、アセットの制御において制限を含み得る。
【００７５】
ステップ５６で、このデータに基づいて、各アセットの可用性、健全性および場合によっては能力、すなわち、破壊的事象対応機能に寄与する能力が判断される。この判断において、中央制御ユニットからの全体的な制御機能の状態データも考慮することが可能である。
【００７６】
これは、図１のシステムの例において、第１の局所制御ユニット３２のコミットメント判断モジュールＣＤＭが、破壊的事象対応機能の各々に関して、第１のアセットの可用性、健全性、および場合によっては能力も判断することを意味する。これは、利用可能なメモリ空間と、局所制御ユニットと中央制御ユニットとの両方におけるアセットに関して破壊的事象対応機能に割当てられてもよい処理能力とを判断することを含み得る。ある変形例では、これは、異なる破壊的事象対応機能間で過剰な能力を等しく割当てることを含み得る。この可用性、健全性および場合によっては能力を判断することは、代わりにまたはさらに、ハードウェアのメンテナンス、ローディング、および故障率、ならびにソフトウェアのソフトウェアバージョンを調査することを含み得る。また、第２の、第３のおよび第４の局所制御ユニット３６、２８および４０のコミットメント判断モジュールは、これらの制御ユニットによって制御されるアセットに関してそのような判断を行う。
【００７７】
さらに、破壊的事象対応機能の各々に対する個別のアセットの可用性を判断する際に考慮されるために、主制御の状態データを、中央制御ユニット３０のデータ収集モジュールＤＣＭから局所制御ユニットの異なるコミットメント判断モジュールに転送することも可能である。異なる機能についてアセットの可用性を判断するために、中央制御ユニットのハードウェア、ソフトウェアおよび通信能力の状態は、局所制御ユニットのハードウェア、ソフトウェアおよび通信能力の状態と結合されてもよい。
【００７８】
アセットの健全性ならびにこのアセットの可用性および破壊的事象対応機能を支援する能力は、たとえばベクトルの形式で、機能ごとに１つずつ、複数の値として設けられてもよい。上述の健全性、可用性および場合によっては能力は、たとえばパーセンテージの形式で、健全性、可用性および破壊的事象対応機能に対する能力の度合いとしてさらに表現されてもよく、パーセンテージは、健全性、可用性および能力の点で形成可能である。
【００７９】
その後、ステップ５８で、各アセットならびに場合によっては主制御および／もしくは遮断器の重要性または各破壊的事象対応機能に対する適合性を取得する任意のステップを行ってもよい。そのため、第１の局所制御ユニット３２のコミットメント判断モジュールＣＤＭは、機能の各々に対する第１のアセットの適合性を取得してもよく、第２の局所制御ユニット３４のコミットメント判断モジュールは、破壊的事象対応機能の各々に対する第２のアセットの適合性を取得してもよく、第３の局所制御ユニット３６のコミットメント判断モジュールは、破壊的事象対応機能の各々に対する第３のアセットの適合性を取得してもよく、第４の局所制御ユニット３８のコミットメント判断モジュールは、破壊的事象対応機能の各々に対する第４のアセットの適合性を取得してもよい。これらは、事前に判断され、適合性表に適合値として格納されてもよい。
【００８０】
破壊的事象対応機能に対するアセットの適合性はそれゆえ、機能ごとに１つずつ、複数の値として設けられてもよい。これらの適合性はさらに、たとえばパーセンテージの形式で、たとえばベクトルで、破壊的事象対応機能に対する適合性の度合いとして表現されてもよい。
【００８１】
アセットを機能に関して使用不可にすることも可能である。これは、適合性によって反映されてもよい。また、アセットは、破壊的事象対応機能を行うために、または破壊的事象対応機能を行う際に支援するために、処理必要条件に対応できないことがあり、その結果、適合性に影響を及ぼすこともある。さらに、アセットの適合性が可用性に影響を及ぼす可能性がある。ある機能について低い適合性を有するアセットの適合性は、なんらかの適合性を有する他の機能について、さらに高くてもよい。破壊的事象対応機能を実現できないアセットは、この機能についてゼロ可用性を有してもよく、それによって、関与可能な他の破壊的事象対応機能に関する可用性が増大されてもよい。
【００８２】
周波数制御の機能を例にとると、第１のアセット１４はＤＣを用いるため、この機能を支援するために用いることはできない。この機能についての第１のアセット１４の適合性は、それゆえゼロでもよい。
【００８３】
能力についても同じ事が当てはまり、この能力を有さないアセットは、故障対応機能を支援できないことがある。フル充電されたエネルギー格納システムはたとえば、追加のエネルギーを受取ることができないことがある。それは、エネルギーを貯蔵する必要がある機能についての能力がゼロでもよい。この機能に対する適合性はそれゆえ、ゼロでもよい。代わりに、エネルギーを必要とする機能について、適合性は高くてもよい。
【００８４】
また、機能についてのアセットの適合性および／または可用性は、外部グリッドインターフェース２６における遮断器の状態によって影響され得る。より特定的に、事象対応機能についてのアセットの適合性は、遮断器の状態に基づいて調節可能である。遮断器の状態は、外部メイングリッドの使用を必要とするすべての破壊的事象対応機能について適切であり得るが、それを必要としない破壊的事象対応機能についての適合性を欠く。それゆえ、メイングリッドへの接続を必要とする破壊的事象対応機能についてのアセットの適合性は、遮断器の状態が開放である場合、ゼロに設定されてもよい。
【００８５】
異なる局所制御ユニット３２、３４、３６および３８の異なるコミットメント判断モジュールＣＤＭは、すべての破壊的事象対応機能について対応するアセットの可用性、健全性、および場合によっては能力および／または適合性のうちの１つ以上の測定値を、中央制御ユニット３０のレジリエンス判定ユニットＲＤＦに転送してもよい。この測定値は、機能コミットメントであってもよく、この機能コミットメントは、アセットが異なる破壊的事象対応機能に対応する際に用いてもよいか、かつ、どのような度合いで用いてもよいかを特定し得るコミットメント判断モジュールＣＤＭによって行われるコミットメントである。上述のように、主制御および／または遮断器の状態は、局所制御ユニットのコミットメント判断モジュールによって行われる機能コミットメントの判断で用いられてもよい。
【００８６】
それゆえ、中央制御ユニット３０内のレジリエンス判断モジュールＲＤＭに対して通信インターフェース４６および５２を介して、第１の局所制御ユニット３２は第１の機能コミットメントＦＣ１を転送し、第２の局所制御ユニット３４は第２の機能コミットメントＦＣ２を転送し、第３の局所制御ユニット３６は第３の機能コミットメントＦＣ３を転送し、第４の局所制御ユニット３８は第４の機能コミットメントＦＣ４を転送する。
【００８７】
ステップ６０で、レジリエンス判断モジュールＲＤＭはその後、破壊的事象対応機能の各々について、受信した機能コミットメントに基づいて、すなわち、各アセットの健全性、可用性、能力および適合性に基づいて、各破壊的事象対応機能の各々に関して、マイクログリッドのレジリエンスを判断する。このレジリエンスは、１つ以上のレジリエンス標識ＲＩの形式で提供されてもよい、たとえば、オペレータ端末４０に提供されるレジリエンス指数として実現されてもよい。
【００８８】
４つの破壊的事象対応機能がある場合、これは、第１の破壊的事象対応機能についてすべてのコミットメント判断モジュールによって判断される健全性、可用性、能力および適合性を第１のレジリエンス値に結合すること、第２の破壊的事象対応機能についてすべてのコミットメント判断モジュールによって判断される健全性、可用性、能力および適合性を第２のレジリエンス値に結合すること、第３の破壊的事象対応機能についてコミットメント判断モジュールによって判断される健全性、可用性、能力および適合性を第３のレジリエンス値に結合すること、および第４の破壊的事象対応機能についてコミットメント判断モジュールによって判断される健全性、可用性、能力および適合性を第４のレジリエンス値に結合することを含み得る。そして、異なる破壊的事象対応機能についてのレジリエンス値は、オペレータ端末４０に提供されるシステムレジリエンス標識ＲＩに結合されて、オペレータに呈示されてもよい。レジリエンス標識ＲＩは、たとえばベクトルまたはマトリックスとして１つ以上の値の形式でもよく、ベクトルの場合、破壊的事象対応機能ごとに１つの値を設けてもよい。マトリックスの場合、マトリックス内の各位置が機能についてアセットのレジリエンスに対応してもよい。マトリックス内の行はそれゆえ機能に対応してもよい一方で、列はアセットに対応してもよい。
【００８９】
レジリエンスの判断は、合計値についての、および／または個別のレジリエンス値についての境界もしくは閾値の判断をさらに含んでもよく、境界は、高すぎる値または低すぎる値に関連してもよい。
【００９０】
さらに、レジリエンスおよび場合によっては対応する境界または閾値は、異なるマイクログリッド機能についての警報信号としての使用のためにオペレータに呈示されてもよい。また、そのような警報信号は場合によっては、マイクログリッドにおいて予測不可能な問題が存在する際に、オペレータに決定させることができる。
【００９１】
レジリエンスおよび場合によってはそのような閾値はさらに、マイクログリッドの動作およびメンテナンスを計画するために、ＥＭＳシステムに提供されてもよい。
【００９２】
レジリエンスはさらに、自動マイクログリッド動作で用いられてもよい。
オペレータに対して呈示されると、オペレータは、これらがレジリエンスについての境界または閾値のセットの範囲外の場合、レジリエンス標識ＲＩまたは個別のレジリエンス値のいずれかに作用してもよい。
【００９３】
なお、レジリエンスの判断は、連続して行われてもよい。上述の方法ステップはそれゆえ、定期的に、たとえば周期的に繰り返されてもよい。
【００９４】
オペレータはそれによって、定義された所望のマイクログリッド機能によってマイクログリッドレジリエンスを評価してもよい。さらに、評価結果は、異なるマイクログリッド機能について、マイクログリッドオペレータに対して適切な警報信号を提供するために使用可能である。
【００９５】
自動マイクログリッド動作においてレジリエンスが用いられる場合、中央制御ユニット３０がレジリエンス調査モジュールＲＩＭを用いることが可能である。次に、このモジュールの動作について、調査を行うための複数の方法ステップを示す図５を参照して説明する。
【００９６】
ステップ６２で、レジリエンス調査モジュールＲＩＭは、レジリエンスを少なくとも１つの閾値と比較してもよい。これは、判断された各々のレジリエンスを対応するレジリエンス閾値と比較することを含み得る。この比較は、一例として、全体的なレジリエンス値を、閾値および／または、対応する閾値を有する破壊的事象対応機能について判断された個別のレジリエンス値の１つ以上と比較することを含んでもよい。ステップ６４で閾値を超えない場合、マイクログリッドの動作は調査前と同様に継続される。しかしながら、ステップ６４で閾値を超えると、ステップ６６で、レジリエンスを改善するために、マイクログリッド１０の制御が変更される。この改良は、レジリエンス調査モジュールＲＩＭが、主制御モジュールＭＣＭに、どの破壊的事象対応機能がレジリエンスを増大させる必要があるかについて知らせることを含み得る。さらに、レジリエンスを増大させる際に支援する１つ以上のアセットを選択することを含んでもよく、この選択は、アセットの適合性に基づいて行われてもよい。たとえば、可能な限り高い健全性、可用性および場合によっては能力も有する最高の適合性を有するアセットを選択し、用いることが可能である。また、アセットの健全性、可用性および場合によっては能力にも基づいて選択することも可能である。主制御モジュールＭＣＭはその後、このレジリエンスに影響を及ぼす、選択されたアセットなど、アセットの１つ以上の動作を変更してもよい。これは、局所制御ユニットに対して、対応するアセットの制御を変更するように指示することを含み得る。
【００９７】
マイクログリッドのレジリエンスの測定値を、たとえばレジリエンス標識として設けることによって、自動化された適合アクション（たとえば、再構成、アイランド化、負荷制限など）を完全にまたは部分的に実現することが可能になる。また、災害または予測不可能な破壊的事象（たとえば、異常気象事象、サイバーアタックなど）の場合、マイクログリッドの復旧時間およびコストを最小限にし得る。
【００９８】
次に、レジリエンスの対応のある詳細な変形例について、図６、図７および図８を参照して説明する。図６は、中央制御ユニットと局所制御ユニットとの間のデータのやり取りを示し、図７は、局所制御ユニットにおける異なる所望の機能についての機能コミットメントの計算を示し、図８は、レジリエンスを評価するための中央制御ユニットによるすべてのそのようなコミットメントの結合を示す。
【００９９】
１．各健全性、可用性および場合によっては能力またはアセット状態は、指数のセット、「アセット状態指数」という名称のＳｔ（ｉ）によって特徴付けられてもよい。Ｓｔ（ｉ）は、スカラー指数の配列でもよい。各指数は、スケール（たとえば、０〜５、０％〜１００％など）にわたる、アセットの監視された特徴の健全性状態（たとえば、ハードウェアおよび通信状態、制御モードおよびサポートされる特徴、利用可能な貯蔵エネルギーなど）を指す。
【０１００】
２．局所制御ユニットのコミットメント判断モジュールＣＤＭによって判断されるアセットの状態指数Ｓｔ（ｉ）（その一部またはすべて）が、他の局所制御ユニットの他のコミットメント判断モジュールに、および中央制御ユニット３０のレジリエンス判断モジュールＲＤＭに、同報通信されてもよい。中央制御ユニット３０のレジリエンス判断モジュールＲＤＭは、ネットワークおよびインターフェース２６の遮断器の状態指数を監視するタスクを有する。
【０１０１】
３．局所制御ユニットの各々は、制御されたアセット（たとえば、エネルギー貯蔵、ディーゼル発電機、ＰＶなど）について、すべてのアセットの機能、健全性、可用性および能力モデルに基づいて、たとえば「機能コミットメント指数」（図１のＦＣ１、ＦＣ２、ＦＣ３およびＦＣ４）として機能コミットメントを計算する。可用性、健全性および能力に加えて、アセットのコミットメント指数は、グリッド内の他のアセット、すなわち、他のコンポーネント、ネットワーク、および制限の状態、ならびに検討されたアセットの状態にも基づいて、さまざまな動作特徴を実行する能力を示す。
【０１０２】
コミットメントを計算する提案された方法は指数であり、この指数は数式（１）で与えられ、式中、F(Asset i, Functions j)は、機能ｊを設ける際のアセットｉの寄与を提供し、SAssetは、異なるマイクログリッドアセットの状態または可用性を表す。
【０１０３】
【数１】
2021529503.tif 000003
【０１０４】
たとえば、電力バランスを提供する際のディーゼル発電機のコミットメントは、以下の数式によって計算可能である。
【０１０５】
【数２】
2021529503.tif 000004
【０１０６】
局所制御ユニットの各々は、特定のアセットが関与すると推定される異なる破壊的事象対応機能Ｆ１、Ｆ２、Ｆ３（たとえば、電力バランス、電圧制御、周波数制御、ブラックスタートなど）について、コミットメント指数を計算する。計算では、ハードウェア、ソフトウェア、通信可用性、健全性、ならびに制御制限、ヘッドルームおよび制限、利用可能な電力、局所制御モードなどのモード、サポートされる特徴などといった能力が考慮される。説明的な例が図７に示される。機能コミットメントモジュールの実現のために、図７の故障制限およびネットワーク検査を実施しなければならないことがあり、それらは、明らかな障害状態の異常の状態を示す状態指数の閾値を定義する。
【０１０７】
障害調査は、通信障害、ハードウェアおよびソフトウェア障害、極限電力ならびにネットワーク構造の調査を含み得る。
【０１０８】
４．分散制御の設計原理に続いて、機能ｊのアセットｉの機能コミットメント指数、すなわち各マイクログリッドアセットのＦ（ｉ，ｊ）は、すべての他の局所制御ユニットに、かつ中央制御ユニットに、同報通信される。同報通信の制限を、必要に応じて実現可能である。図８の中央制御ユニット３０はデータアグリゲータとして動作し、ネットワークおよび遮断器機能コミットメント指数を監視するタスクも有し、それらをすべての局所制御ユニットに同報通信する。
【０１０９】
５．図８に示すように、中央制御ユニット３０において、レジリエンス指数が最終的に計算される。レジリエンス判断モジュールは、すべての局所制御ユニットから収集された機能コミットメント指数Ｆ（ｉ，ｊ）を入力として有し、スカラー指数、レジリエンス指数のセットを出力として与える。
【０１１０】
破壊的事象の際にマイクログリッドの回復に必要な機能（たとえば、電力バランス、周波数制御および電力制御、ブラックスタートなど）ごとに、マイクログリッドレジリエンスが、スカラー指数（たとえば、０％〜１００％）でそのような機能を提供可能なすべてのアセットの順位として評価される。すなわち、機能ｊに対するマイクログリッドのレジリエンスは、以下の数式で計算されてもよい。
【０１１１】
【数３】
2021529503.tif 000005
【０１１２】
これらの指数は、オペレータ端末４０を介してマイクログリッドオペレータに、簡潔で効果的な手段で伝えられる。レジリエンス指数ごとに、自動警報閾値を中央制御ユニットで実現し、マイクログリッドオペレータに伝えることが可能である。
【０１１３】
災害の場合、マイクログリッドオペレータは、以下について修復に必要な機能ごとに情報を有し得る。
・マイクログリッド内の修復機能の可用性
・どのアセットがそのような機能を実行可能か
・災害後のアセットの出力を定格より下げることについての表示
・介入の修復に際してどのアセットを優先させるべきか
オペレータおよび／または中央制御ユニットは最終的に、破壊的事象の際に復旧時間の最小化に寄与し得る適応アクションについて決定できる。
【０１１４】
提案された計画の主な利点は、以下のように要約できる。
１．提案されたアプローチの最も重要な利点は、レジリエンスについて貴重な情報を提供することである。これによって、多くのアプリケーションについてマイクログリッド機能をサポートできる。
【０１１５】
２．また、マイクログリッドのよりスマートな制御を提供可能であり、再開時間を減らすマイクログリッドレジリエンスを改良するために予防策をとることが可能である。
【０１１６】
３．特に自然災害またはサイバーアタック後に、膨大な量の事後保全コストおよび予防保全コストを節約可能である。
【０１１７】
次に、さらに別の実現例について、図９、図１０、図１１および図１２を参照して説明する。図９は、中央制御ユニットおよび複数の局所制御ユニットにおいて行われる処理に基づいて、中央制御ユニットにおいてレジリエンス判断を実現する制御概略図を示し、図１０は、中央制御ユニットおよび複数の局所制御ユニットにおいて行われる処理に基づいて、中央制御ユニットにおいてレジリエンス判断を実現する代替的な制御概略図を示し、図１１は、中央制御ユニットおよび複数の局所制御ユニットにおいて行われる処理に基づいて、中央制御ユニットにおいてレジリエンス判断を実現する別の代替的な制御概略図を示し、図１２は、中央制御ユニットおよび複数の局所制御ユニットにおいてレジリエンス判断を実現するさらに別の代替的な制御概略図を示す。
【０１１８】
図９は、考慮されるマイクログリッドのある制御概略図を示す。各マイクログリッドアセットは、すべてのマイクログリッドアセットの状態に基づいて、対応するアセットの動作を最適化する局所制御ユニットを有し、かつ、アセット状態を他のマイクログリッドアセットと共有することが分かる。
【０１１９】
図９では、各マイクログリッドアセットは、検討されたアセットのソフトウェアＳＷ、ハードウェアＨＷ、および通信ＣＣを表す３つの主なブロックを有する局所制御ユニットでモデル化されることが分かる。これらの３つの種類の状態データは共に、各マイクログリッドアセットの状態、たとえば、負荷速度、（エネルギー貯蔵についての）能力レベル、メンテナンス履歴などを記載可能である。それゆえ、これらの３つの部分はすべて、可用性、健全性および能力を示すいわゆる「アセット状態指数」を有するアセット状況を説明するために、各マイクログリッドアセットで用いられてもよい。
【０１２０】
なお、レジリエンス判断モジュールを実現する決定ユニットが、図９において別のユニットとして呈示されている。代替例として、局所制御ユニットのいずれかに、かつ、中央制御ユニットに、含まれてもよい。レジリエンスは、状態データを介して取得される可用性にのみ基づいて判断されてもよい。
【０１２１】
異なる所望の機能を提供する際の各アセットの寄与は、前述のように、機能コミットメント指数と呼ばれる指数のセットによってモデル化されてもよい。コミットメント指数の計算を簡潔にするために、各マイクログリッドアセットの可用性、健全性、能力および適合性が、アセット状態指数Ｓｔ（ｉ）およびアセット重要性指数Ｉｍ（ｉ，ｆ）という名称の２つの指数によって呈示される。前者はマイクログリッドアセットごとに定義される３つの前述の基本的な部分に基づいて取得される一方で（すなわち、ソフトウェア、ハードウェア、および通信）、適合性と関係があるアセット重要性指数Ｉｍ（ｉ，ｆ）は、すべてのマイクログリッドアセットの全体的な状況と所望のマイクログリッド機能とに基づいて判断される。
【０１２２】
図１０は、マイクログリッドを動作させる別の手段を表す。この図では、アセット状態指数Ｓｔ．（ｉ）はアセット内部状態に基づいて導出される一方で、アセット重要性指数Ｉｍ．（ｉ，ｆ）は、他のマイクログリッドアセットの状態にも左右されるため、局所制御ユニット内で判断されることが分かる。これらの２つの指数をアセットごとについて計算可能な方法について、以下でさらに明確に説明する。
【０１２３】
なお、また、アセット重要性指数Ｉｍ．（ｉ，ｆ）は異なるマイクログリッド機能、すなわち、破壊的事象に対応する機能について変わってもよく、これは、他のコンポーネントの状態に応じて、異なるマイクログリッド機能を提供可能なアセットの数に基づいて、検討されたアセットのアセット重要性指数が異なり得ることを意味する。たとえば、マイクログリッド機能１を提供可能なマイクログリッド（検討されたアセットは別として）において、３つ以上のアセットが存在する状況を仮定する。しかしながら、検討されたアセットは、機能２を提供可能なマイクログリッド内のアセットのみである。そのような状況では、機能２についてのコンポーネントのアセット重要性指数は、機能１についての指数よりもはるかに高い。したがって、各マイクログリッドアセットは、考慮されるマイクログリッド機能の数に応じて、複数のアセット重要性指数を有する。図１１は、複数のマイクログリッド機能を考慮した、提案される制御概略図を示す。
【０１２４】
くわえて、複数のマイクログリッド機能および分散制御コンセプトを考慮する制御概略図が、図１２に示される。この図に示される模式図では、決定プロセスを実行できる２つ以上の局所制御ユニットが存在する。
【０１２５】
図１１と図１２との両方において、決定プロセスを行う局所制御ユニットは、必要とされる警報信号をマイクログリッドオペレータに呈示しなければならないことが強調されるべきである。
【０１２６】
動作中、アセット状態指数Ｓｔ．（ｉ）およびアセット重要性指数Ｉｍ．（ｉ．ｆ）を、アセットごとに常に計算してもよい。アセット状態指数Ｓｔ．（ｉ）を計算するために、各アセットのすべての基本部分（すなわち、ソフトウェア、ハードウェア、および通信）の現在および過去の動作状態が評価されてもよく、アセット状態指数が導出される。この指数計算をより明確に示すために、表の例（表Ｉ）は次のように提案される。
【０１２７】
【表１】
2021529503.tif 000006
【０１２８】
この表によると、
−ソフトウェア状態は、Ｓ１＋Ｓ２に等しく、２〜４の間で変わり得る。
−ハードウェア状態は、Ｈ１＋Ｈ２＋Ｈ３に等しく、３〜６の間で変わり得る。
−通信状態は、Ｃ１＋Ｃ２に等しく、２〜４の間で変わり得る。
−アセット状態指数Ｓｔ．（ｉ）は、Ｓ１＋Ｓ２＋Ｈ１＋Ｈ２＋Ｈ３＋Ｃ１＋Ｃ２に等しく、７〜１４の間で変わり得る。
【０１２９】
なお、この表において提案された値および項目は、アセットの可用性および適合性を例示するための例にすぎない。
【０１３０】
アセット状態指数計算と同様に、アセット重要性指数Ｉｍ．（ｉ，ｆ）も、表２において提案されたもののように、ルックアップテーブルによってアセットごとに計算可能である。
【０１３１】
【表２】
2021529503.tif 000007
【０１３２】
表ＩＩにおいて、ＭＧはマイクログリッドの略語である。
この表によると、
−これらの４つの機能のうちいずれかに対するアセット重要性指数Ｉｍ．（ｉ．ｆ）は、Ｘ１＋Ｘ２に等しく、２〜５の間で変わってもよく、Ｘは、Ｐ、Ｖ、ＦまたはＢでもよい。
【０１３３】
上述の動作によると、すべてのアセットのすべてのアセット状態指数およびアセット重要性指数は、各所望の機能に対してマイクログリッドのレジリエンスを計算するために次のステップで用いられる。レジリエンスはここでは、レジリエンス指数として判断される。そのために、以下の数式を用いてもよい。
【０１３４】
【数４】
2021529503.tif 000008
【０１３５】
【数５】
2021529503.tif 000009
【０１３６】
これらの数式を用いて、レジリエンス判断モジュールを実現する決定ユニットは、各機能に対するマイクログリッドについてリスクレベルを計算し、取得した値および複数の事前に定義された閾値レベルに基づいて、適切な警報信号をシステムオペレータに示す。
【０１３７】
重要性指数についてより進化した形態の計算で、表ＩＩの「２つ以上」、「あと１つのみ」、「それ以上なし」などの変数は、他のアセットの状態に依存し得る。一例として、２つのコンポーネントが１つの機能をサポートするもののみである場合、２つ以上のアセットを利用可能である。しかしながら、これらのアセットのうちの１つがメンテナンス状態が悪いために高い障害のリスクを有する場合、この機能を安全に提供可能なアセットが「それ以上ない」ため、他のアセットがさらに重要になる。重要性指数は、そのような実現例において、他の平行ユニットの状態がどれほど悪いかを記すために１０進値を有し得る。
【０１３８】
上述のマイクログリッドに対して多くのさらに他の変形例が可能である。明らかなように、レジリエンス判断モジュールを任意の制御ユニットに配置してもよい。また、レジリエンス判断モジュールは、任意の制御ユニットに配置してもよい。しかしながら、レジリエンス判断ユニットと組み合わされるべきである。
【０１３９】
コミットメント判断モジュールは、分散していると説明された。コミットメント判断モジュールは、異なる制御ユニットに設けられる。主制御ユニットまたは局所制御ユニットのうちの１つに配置された１つの中央コミットメント判断モジュールがある代替例も可能である。これが行われると、機能コミットメントを判断するための入力として用いられるデータを、すべての他の制御ユニットからこの制御ユニットに提供してもよい。
【０１４０】
ある側面は、レジリエンスを判断するための配置に関する。この配置は、コミットメント判断モジュール、レジリエンス判断モジュールおよびレジリエンス調査モジュールなどの、この判断に関与するモジュールを含む。場合によっては、データ収集モジュールを含み得る。また、この配置は制御ユニットも含んでもよく、これらの制御ユニットでは、局所制御モジュールおよび中央制御モジュールなどの、これらのモジュールが実現される。
【０１４１】
モジュールは、特定用途向け集積回路（ＡＳＩＣ）およびフィールド・プログラマブル・ゲート・アレイ（ＦＰＧＡ）などのハードウェアモジュールとして実現されてもよい。しかしながら、上述のように、ソフトウェア、すなわち、コンピュータプログラムコードとして実現されてもよい。
【０１４２】
レジリエンス判断モジュール、ならびにコミットメント判断モジュール、ならびに場合によってはデータ収集モジュールおよびレジリエンス調査モジュールも実現するために用いられるこのコンピュータプログラムコードは、プロセッサによって動作されるとこれらのモジュールのアクティビティを行う１つ以上のデータキャリア上に設けられてもよい。ＣＤ  ＲＯＭディスクの形式で前述のコンピュータプログラムコード７２を有する、あるそのようなデータキャリア７０を、図１３に概略的に示す。そのようなコンピュータプログラムは、代替例として、システムモデル生成およびシミュレーション装置を取得するために、サーバ上に設けられ、サーバからコンピュータにダウンロードされてもよい。
【０１４３】
現在最も実用的で好ましいと考えられるものに関連して本発明の説明を行ったが、本発明は、開示された実施形態に制限されるのではなく、さまざまな変形例および同等の配置を包含すると意図されると認識されるべきである。本発明は、以下の請求項の範囲だけに制限されるわけではない。
【図１】
2021529503.tif 000010
【図２】
2021529503.tif 000011
【図３】
2021529503.tif 000012
【図４】
2021529503.tif 000013
【図５】
2021529503.tif 000014
【図６】
2021529503.tif 000015
【図７】
2021529503.tif 000016
【図８】
2021529503.tif 000017
【図９】
2021529503.tif 000018
【図１０】
2021529503.tif 000019
【図１１】
2021529503.tif 000020
【図１２】
2021529503.tif 000021
【図１３】
2021529503.tif 000022
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
複数のアセット（１４、１６、１８、２０）を含むマイクログリッド（１０）においてレジリエンスを判断する方法であって、各アセットは、前記マイクログリッドにおける異なる種類の電気エネルギーサブシステムであり、方法は、
前記アセットを制御するために用いられる装置（３２、３４、３６、３８）およびこの制御の通信リソースに関する状態データを取得すること（５４）を備え、前記アセットを制御するために用いられる前記装置に関する前記状態データは、ハードウェア状態データおよび／またはソフトウェア状態データを含み、さらに、
前記状態データに基づいて、前記マイクログリッドにおいて破壊的事象に対応するための複数の機能（Ｆ１、Ｆ２、Ｆ３）の各々を支援するために、各アセットの健全性および可用性を判断すること（５６）と、
前記複数の機能（Ｆ１、Ｆ２、Ｆ３）を行う際に、前記マイクログリッドのレジリエンス指数（ＲＩ）を判断すること（６０）とを備え、前記レジリエンス指数は、破壊的事象に対応するための前記機能（Ｆ１、Ｆ２、Ｆ３）のすべてに関する各アセット（１４、１６、１８、２０）の個別のアセット健全性および可用性に基づいて判断され、さらに、
前記レジリエンス指数を前記マイクログリッドの制御システムに提供することと、
前記制御システムにおいて、前記レジリエンス指数（ＲＩ）を少なくとも１つの閾値と比較すること（６２）と、
前記閾値のいずれかを超える場合、前記マイクログリッド（１０）の前記制御を変更すること（６６）とを備える、方法。
【請求項２】
前記状態データに基づいて判断することはさらに、前記マイクログリッドにおける破壊的事象に対応するための複数の機能の各々を支援するために、各アセットの能力を判断することを含む、請求項１に記載の方法。
【請求項３】
破壊的事象に対応する前記機能は、電力バランス機能、電圧制御機能、周波数制御機能およびブラックスタート機能のうち少なくとも１つを含む、請求項１または２に記載の方法。
【請求項４】
判断された前記レジリエンス指数は、破壊的事象に対応するための前記複数の機能（Ｆ１、Ｆ２、Ｆ３）の各々についてのレジリエンス値を含む、請求項１から請求項３のいずれか１項に記載の方法。
【請求項５】
破壊的事象に対応するための前記機能（Ｆ１、Ｆ２、Ｆ３）の各々に対する各アセット（１４、１６、１８、２０）の適合性を取得すること（５８）をさらに備え、前記レジリエンス（ＲＩ）は、前記適合性にも基づいて判断される、請求項１から請求項４のいずれか１項に記載の方法。
【請求項６】
前記マイクログリッド（１２）は、遮断器（２６）を介して外部グリッド（２８）に接続され、前記状態データを取得することは、前記遮断器の状態データを取得することを含み、前記方法はさらに、前記遮断器の状態に基づいて、前記アセットのうち少なくとも１つの適合性を調節することを備える、請求項５に記載の方法。
【請求項７】
前記レジリエンス指数は、破壊的事象に対応するための機能ごとに１つずつ、複数の閾値と比較され、前記方法はさらに、前記閾値を超えた機能を支援するためにアセットを選択することを備える、請求項１から請求項６のいずれか１項に記載の方法。
【請求項８】
前記制御システムはリモート制御システムである、請求項１から請求項７のいずれか１項に記載の方法。
【請求項９】
前記マイクログリッド（１０）は全体的な制御機能（ＭＣＦ）を有し、前記状態データを取得することは、前記全体的な制御機能についても状態データを取得することを含み、破壊的事象に対応するための前記複数の機能の各々を支援するために各アセットの健全性および可用性を判断することは、前記全体的な制御機能の前記状態データにも基づく、請求項１から請求項８のいずれか１項に記載の方法。
【請求項１０】
前記レジリエンス指数をエネルギー管理システムに提供することをさらに備える、請求項１から請求項９のいずれか１項に記載の方法。
【請求項１１】
複数のアセット（１４、１６、１８、２０）を含むマイクログリッド（１０）においてレジリエンスを判断するための配置であって、各アセットは、前記マイクログリッドにおける異なる種類の電気エネルギーサブシステムであり、前記配置は少なくとも１つの制御ユニット（３０、３２、３４、３６、３８）を含み、前記少なくとも１つの制御ユニットは、
前記アセットを制御するために用いられる装置（３２、３４、３６、３８）およびこの制御の通信リソースに関する状態データを取得するように構成され、前記アセットを制御するために用いられる前記装置に関する前記状態データは、ハードウェア状態データおよび／またはソフトウェア状態データを含み、さらに、
前記状態データに基づいて、前記マイクログリッドにおいて破壊的事象に対応するための複数の機能（Ｆ１、Ｆ２、Ｆ３）の各々を支援するために、各アセットの健全性および可用性を判断し、
前記複数の機能（Ｆ１、Ｆ２、Ｆ３）を行う際に、前記マイクログリッドのレジリエンス指数（ＲＩ）を判断するように構成され、前記レジリエンス指数は、破壊的事象に対応するための前記機能（Ｆ１、Ｆ２、Ｆ３）のすべてに関する各アセット（１４、１６、１８、２０）の個別のアセット健全性および可用性に基づいて判断され、さらに、
前記レジリエンス指数（ＲＩ）を少なくとも１つの閾値と比較し、かつ、前記閾値のいずれかを超える場合、前記マイクログリッド（１０）の前記制御を変更するように構成される、配置。
【請求項１２】
前記少なくとも１つの制御ユニットは、前記状態データを取得するように配置された少なくとも１つのコミットメント判断モジュール（ＣＤＭ）と、レジリエンス指数（ＲＩ）を判断するように配置された少なくとも１つのレジリエンス判断モジュール（ＲＤＭ）と、前記レジリエンス指数（ＲＩ）を少なくとも１つの閾値と比較し、かつ、前記閾値のいずれかを超える場合、前記マイクログリッド（１０）の前記制御を変更するように配置されたレジリエンス調査モジュール（ＲＩＭ）とを含む、請求項１１に記載の配置。
【請求項１３】
複数の局所制御ユニット（３２、３４、３６）と中央制御ユニット（３０）とをさらに備え、各コミットメント判断モジュール（ＣＤＭ）は対応する局所制御ユニット（３２、３４、３６）に設けられ、前記レジリエンス調査モジュール（ＲＩＭ）は前記中央制御ユニット（３０）に設けられ、前記レジリエンス判断モジュール（ＲＤＭ）は局所制御ユニットまたは前記中央制御ユニットに設けられる、請求項１２に記載の配置。
【請求項１４】
複数のアセット（１４、１６、１８、２０）を含むマイクログリッド（１０）においてレジリエンスを判断するためのコンピュータプログラム製品であって、各アセットは、前記マイクログリッドにおける異なる種類の電気エネルギーサブシステムであり、前記コンピュータプログラム製品は、コンピュータプログラムコード（７２）を有するデータキャリア（７０）を備え、前記コンピュータプログラムコード（７２）は、前記コンピュータプログラムコードが制御ユニット（３０、３２、３４、３６、３８）内にロードされると、前記制御ユニット（３０、３２、３４、３６、３８）の少なくとも１つに、
前記アセットを制御するために用いられる装置（３２、３４、３６、３８）および前記制御の通信リソースについて状態データを取得し、かつ、前記状態データに基づいて、前記マイクログリッドにおいて破壊的事象に対応するための複数の機能（Ｆ１、Ｆ２、Ｆ３）の各々を支援するために各アセットの健全性および可用性を判断するように配置された少なくとも１つのコミットメント判断モジュール（ＣＤＭ）を設けさせるように構成され、前記アセットを制御するために用いられる前記装置に関する前記状態データは、ハードウェア状態データおよび／またはソフトウェア状態データを含み、さらに、
前記複数の機能（Ｆ１、Ｆ２、Ｆ３）を行う際に前記マイクログリッドのレジリエンス指数（ＲＩ）を判断するように配置された少なくとも１つのレジリエンス判断モジュール（ＲＤＭ）を設けさせるように構成され、前記レジリエンス指数は、破壊的事象に対応するための前記機能（Ｆ１、Ｆ２、Ｆ３）のすべてに関する各アセット（１４、１６、１８、２０）の個別のアセット健全性および可用性に基づいて判断され、さらに、
前記レジリエンス指数（ＲＩ）を少なくとも１つの閾値と比較し、かつ、前記閾値のいずれかを超える場合、前記マイクログリッド（１０）の前記制御を変更するように配置されたレジリエンス調査モジュール（ＲＩＭ）を設けさせるように構成される、コンピュータプログラム製品。
【国際調査報告】
2021529503.tif 000023
2021529503.tif 000024
2021529503.tif 000025